(57)【要約】【課題】  画像読取装置において、ユーザに眩しさを感じさせることなく、原稿サイズの自動検知を行う。【解決手段】  プラテンを覆うプラテンカバーの原稿側の面に、主走査方向に線状に光源を設ける。原稿サイズの自動検知を行う場合には、このカバー側光源と対向する位置に、キャリッジを移動させる。キャリッジがカバー側光源と対向する位置に移動し、かつカバー側光源が点灯したときのリニアイメージセンサの出力に基づいて原稿のサイズを検知する。【選択図】  図４
2005164716.tif 000002
【特許請求の範囲】
【請求項１】
原稿の画像を読み取る画像読取装置であって、
撮像手段と、
副走査方向に移動可能なキャリッジを用いて、原稿を裁置するプラテンから入射した光を撮像手段に導く光学系と、
プラテンを覆うプラテンカバーの原稿側の面に、主走査方向に線状に設けられたカバー側光源と、
キャリッジがカバー側光源と対向する位置にあり、かつカバー側光源が点灯したときの撮像画像に基づいて原稿のサイズを検知する手段と
を備えた画像読取装置。
【請求項２】
カバー側光源と対向する位置にキャリッジを移動させる制御を行う手段をさらに備えた請求項１記載の画像読取装置。
【請求項３】
前記プラテンカバーの原稿側の面に、半透光性の原稿マットが装着され、
前記カバー側光源は、プラテンカバーの原稿側の面と原稿マットとの間に配置された請求項１記載の画像読取装置。
【請求項４】
前記カバー側光源は、主走査方向に線状に配置された複数のＬＥＤ（Ｌｉｇｈｔ  Ｅｍｉｔｔｉｎｇ  Ｄｉｏｄｅ）を有する請求項１記載の画像読取装置。
【請求項５】
前記プラテンカバーの開閉を検知する手段をさらに備え、
前記プラテンカバーが閉じられた状態で、前記カバー側光源が点灯する請求項１記載の画像読取装置。
【請求項６】
原稿の画像を読み取る画像読取装置であって、
原稿を裁置するプラテンと、
プラテンを覆うプラテンカバーと、
リニアイメージセンサと、
プラテンに裁置された原稿を露光する露光光源、および露光された原稿からの反射光が入射する位置に配置された反射鏡を有し、副走査方向に移動可能なキャリッジと、
反射鏡からの光をリニアイメージセンサへ導く光学系と、
プラテンを覆うプラテンカバーの原稿側の面に、主走査方向に線状に設けられたカバー側光源と、
カバー側光源が反射鏡と対向する位置にキャリッジを移動させる制御を行う手段と、
キャリッジがカバー側光源と対向する位置に移動し、かつカバー側光源が点灯したときのリニアイメージセンサの出力に基づいてプラテン上の原稿のサイズを検知する手段と
を備えた画像読取装置。
【発明の詳細な説明】
【技術分野】
【０００１】
本発明は、イメージスキャナやファクシミリ、複写機、ＭＦＰ（Ｍｕｌｔｉ  Ｆｕｎｃｔｉｏｎ  Ｐｅｒｉｐｈｅｒａｌ）など、原稿の画像を読み取る機能を有した画像読取装置に関する。
【背景技術】
【０００２】
原稿の画像を複写する用紙のサイズの選択や複写倍率の設定を自動的に行ったり、読み取った画像を処理したりするために、プラテンに裁置された原稿のサイズや向きを自動的に検知する機能を有した画像読取装置が知られている。
【０００３】
特許文献１は、プラテンに裁置された原稿のサイズを自動的に検知するために原稿カバーを開けた状態でプリスキャンを行う画像読取装置を開示している。このような画像読取装置では、本スキャンで原稿を露光する露光ランプがプリスキャンにも用いられる。原稿カバーを閉めた状態では、プラテンに裁置された原稿か原稿カバーで、その露光ランプからの光が反射される。原稿カバーを開けた状態でも、プラテンに原稿が裁置されていれば、その部分で露光ランプからの光は反射される。一方、プラテンの原稿が裁置されていない箇所では、露光ランプからの光は原稿カバーでも原稿でも反射されず、プラテンガラスを透過しそのまま放射されることになる。このため、原稿カバーを開けた状態で反射光を撮像すると、プラテンの原稿が裁置された箇所で明るい値が、プラテンの原稿が裁置されていない箇所で暗い値が得られる。反射光を撮像する撮像手段の出力に適当な閾値を設定することで、プラテンの原稿が裁置された箇所と原稿が裁置されていない箇所を区別することができ、原稿の一方の端縁からもう一方の端縁までの長さを得ることが可能となる。
【特許文献１】特開平７−１７７３１０号公報
【発明の開示】
【発明が解決しようとする課題】
【０００４】
しかしながら、原稿カバーを開けた状態でプリスキャンを行うかぎり、プラテンの原稿が裁置されていない箇所から漏れた光でユーザが多少の眩しさを感じることになる。
【０００５】
本発明は、このような従来の技術における課題を解決するためになされたものであり、ユーザに眩しさを感じさせることなく原稿のサイズを自動的に検知することができる画像読取装置を提供することを目的とするものである。
【課題を解決するための手段】
【０００６】
上述の目的を達成するために本発明は以下の手段を採用している。
【０００７】
本発明の画像読取装置では、プラテンを覆うプラテンカバーの原稿側の面に、撮像手段の走査方向と平行な主走査方向に線状に光源が設けられる。このカバー側光源には、主走査方向に線状に配置された複数のＬＥＤ（Ｌｉｇｈｔ  Ｅｍｉｔｔｉｎｇ  Ｄｉｏｄｅ）を用いることができる。制御手段は、カバー側光源と対向する位置にキャリッジを移動させる制御を行う。このキャリッジは、撮像手段の走査方向と直角な副走査方向に往復動可能であり、光学系は、そのキャリッジを用いて、原稿を裁置するプラテンから入射した光を撮像手段に導く。露光された原稿からの反射光が撮像手段に導かれたとき、原稿の画像を得ることができる。サイズ検知手段は、キャリッジがカバー側光源と対向する位置にあり、かつカバー側光源が点灯したときの撮像画像に基づいて原稿のサイズを検知する。カバー側光源を設けていれば、プラテンカバーを開けた状態で原稿のサイズを検知する必要はない。プラテンの原稿が裁置されている箇所では、カバー側光源からの光は原稿で遮られ、キャリッジがカバー側光源と対向する位置にあっても、撮像手段に導かれない。これに対し、プラテンの原稿が裁置されていない箇所では、キャリッジがカバー側光源と対向する位置にあれば、カバー側光源からの光が撮像手段に導かれる。このため、プラテンの原稿が裁置された箇所で暗い値が得られ、原稿が裁置されていない箇所で明るい値が得られる。このように反射の有無を利用しないので、プラテンカバーを閉めた状態でも原稿のサイズを検知することができる。
【０００８】
カバー側光源はプラテンカバーの原稿側の面に露出させず、プラテンカバーの原稿側の面とその面を覆う原稿マットとの間に配置するのが好ましい。半透光性のマットを用いて、原稿を露光する露光光源からの光は反射し、カバー側光源からの光は透過させる。これにより、原稿の読取画像にカバー側光源が影響を与えるのを避けることができる。
【０００９】
また、プラテンカバーが閉じられていることを確認するために、プラテンカバーの開閉を検知する開閉検知手段を画像読取装置に備えるようにしてもよい。このとき、カバー側光源は、プラテンカバーが閉じられたことを検知した状態で点灯する。
【発明の効果】
【００１０】
このように、本発明の画像読取装置では、プラテンカバーを閉じた状態で原稿のサイズを自動的に検知することができ、その検知のためにユーザが眩しさを感じるのを避けることができる。
【発明を実施するための最良の形態】
【００１１】
以下、添付図面を参照して、本発明の実施の形態について説明する。この実施の形態において、本発明の画像読取装置は、デジタル複写機として具体化される。図１は、このデジタル複写機全体の外観を示す。
【００１２】
図１に示すように、このデジタル複写機１００は、ＤＦ（Ｄｏｃｕｍｅｎｔ  Ｆｅｅｄｅｒ）１０１を画像読取部２０１の上側に、裁置された原稿の画像を用紙に形成する画像形成部３０１を画像読取部２０１の下側に備えている。
【００１３】
図２に示すように、画像読取部２０１の上面には原稿を裁置するガラス製のプラテン２０２が配置されている。この画像読取部２０１を用いて原稿の画像を読み取る場合、ユーザは、ＤＦ１０１の原稿トレー１０２にその原稿を裁置するか、プラテン２０２に直接裁置する。原稿トレー１０２に裁置された原稿は、ＤＦ１０１によって自動的にプラテン２０２上に給送される。
【００１４】
図３に示すように、プラテン２０２の下側には、複数の撮像素子を線状に配列した撮像手段２０３が設けられている。この撮像手段２０３には、ＣＣＤ（Ｃｈａｒｇｅ  Ｃｏｕｐｌｅｄ  Ｄｅｖｉｃｅ）リニアイメージセンサを用いることができる。撮像手段２０３に原稿の光像を導けば、撮像手段２０３の光電変換により原稿画像の電気信号が得られる。この電気信号をアナログ／デジタル変換することにより得た画像データについて、画像処理部２０４は、シェーディング補正や擬似階調処理、さらには必要に応じて拡大や縮小のような画像処理を行い、処理されたデータを画像形成部３０１に供給する。画像処理部２０４は、例えばＣＰＵ（Ｃｅｎｔｒａｌ  Ｐｒｏｃｅｓｓｉｎｇ  Ｕｎｉｔ）や、ワーク領域に用いるＲＡＭ（Ｒａｎｄｏｍ  Ａｃｃｅｓｓ  Ｍｅｍｏｒｙ）、プログラムや設定値を保持しておくための不揮発性メモリなどを組み合わせることで実現することができる。ＬＳＩ（Ｌａｒｇｅ  Ｓｃａｌｅ  Ｉｎｔｅｇｒａｔｉｏｎ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を用いてもよい。画像形成部３０１は、画像読取部２０１から供給された画像データに基づいて用紙に原稿画像を複写する。
【００１５】
光学系２０５は、撮像手段２０３の走査方向と平行な主走査方向と直角な副走査方向に往復動可能なキャリッジ２０６を用いて、プラテン２０２から入射した光を撮像手段２０３に導く。キャリッジ２０６には、原稿を露光するための露光光源２０７、および露光された原稿からの反射光が入射する位置に配置された反射鏡２０８が設けられている。露光光源２０７には、例えば蛍光ランプが用いられる。線状のランプは、主走査方向に平行に配置される。露光光源２０７を点灯し、プラテン２０２を通じて原稿を露光すると、プラテン２０２上の原稿でその光は反射される。この反射光は、図３に一点鎖線で示した光路の通り、キャリッジ２０６の反射鏡２０８でさらに水平方向に反射され、光学系２０５のミラー２０９および２１０により集光レンズ２１１に導かれる。集光レンズ２１１は、導かれた光像を撮像手段２０３上で結像する。
【００１６】
プラテン２０２に原稿を裁置した場合、キャリッジ２０６が副走査方向に移動することで、原稿を機械的に走査する。この機械的な走査と撮像手段２０３の走査との組み合わせにより、原稿全面の２次元画像を得ることができる。ＤＦ１０１の原稿トレー１０２に原稿を裁置した場合、キャリッジ２０６は読取位置から移動せず、ＤＦ１０１の給送により原稿がその読取位置を通過することで、機械的な走査が行われる。
【００１７】
原稿の画像を上述のように得る場合、プラテン２０２を通じて外光が反射鏡２０８に入射すると、その外光が原稿の画像に影響を与える。これを防止したり、プラテン２０２に裁置された原稿を押さえたりするために、プラテン２０２を覆うプラテンカバーが用いられる。図２のように、ＤＦ１０１は、画像読取部２０１上面の後端に開閉自在に取り付けられており、ここでは、このＤＦ１０１がプラテンカバーとして利用される。ＤＦ１０１を有していない画像読取装置では、板状のカバーが用いられる。この板状カバーの原稿側の面には、通常白色の原稿マットが装着される。ＤＦ１０１では、原稿を給送するために用いる白色のベルト１０３が、この原稿マットに相当する。プラテン２０２に原稿が裁置されたとき、このベルト１０３は移動せず、ＤＦ１０１の原稿側の面１０４から露出した部分は、マット状となる。
【００１８】
この実施の形態では、図４に示すように、ＤＦ１０１の原稿側の面１０４とベルト１０３との間に、主走査方向に線状に光源１０５が設けられる。原稿の主走査方向のサイズを検知するのに、露光光源２０７ではなく、このカバー側光源１０５を利用する。
【００１９】
そのカバー側光源１０５には、主走査方向に線状に配列された複数のＬＥＤ１０６を用いることができる。これらのＬＥＤ１０６は、一定間隔で設けても良いし、Ａ４やＢ５、Ｂ４サイズの原稿が縦方向や横方向に裁置された場合に、それぞれの場合について主走査方向のサイズが区別できるような間隔で配置してもよい。必要があれば、主走査方向に連続的に発光するような光源を用いてもよい。
【００２０】
このように様々な場合について原稿の主走査方向のサイズを得るには、カバー側光源１０５の主走査方向の長さよりも、プラテン２０２に裁置された原稿の主走査方向のサイズが短い場合が生じる。複数のＬＥＤ１０６を配置したときには、両端にあるＬＥＤ１０６間の長さよりも、プラテン２０２に裁置された原稿の主走査方向のサイズが短くなる場合がある。
【００２１】
このため、ＤＦ１０１を有さない画像読取装置のプラテンカバーでも、カバーの原稿側の面と原稿マットとの間にカバー側光源１０５を設けるのが好ましい。これによって、プラテン２０２に対してカバー側光源１０５が露出していると、カバー側光源１０５の主走査方向の長さよりもプラテン２０２に裁置された原稿の主走査方向のサイズが短いときに、原稿だけでなくカバー側光源１０５の一部まで撮像されてしまうのを避ける。
【００２２】
さらに、原稿の主走査方向のサイズを検知するには、カバー側光源１０５からの光がプラテン２０２に届く必要があるので、プラテンカバーの原稿側の面と原稿マットやベルト１０３との間に光源１０５を設けるときには、原稿マットやベルト１０３に半透光性のものを用いる。露光光源２０７からの光は反射し、カバー側光源１０５からの光を透過させるマットやベルト１０３を用いるのが好ましい。
【００２３】
そのカバー側光源１０５の点灯の制御に、ここでは便宜上、画像処理部２０４のＣＰＵやＲＡＭ、不揮発性メモリなどを用いる。この場合、不揮発性メモリには、画像処理のプログラムの他に、各種の制御のためのプログラムも格納される。ＣＰＵは、不揮発性メモリから制御プログラムをＲＡＭに読み出し、その制御プログラムの指令に従って、カバー側光源１０５の点灯（および消灯）の制御を行ったり、キャリッジ２０６の駆動モータの制御を行ったりする。複写機に組み込まれたコンピュータのＣＰＵやＲＡＭといったハードウェアがその制御プログラムと協働することで、これらの機能を有した画像読取装置を実現することができる。図５は、その画像読取装置の機能ブロック図を示す。
【００２４】
この画像読取装置は、撮像手段２０３や光学系２０５、カバー側光源１０５の他に、図５に示すように、制御手段２１２およびサイズ検知手段２１３を備える。
【００２５】
制御手段２１２は、キャリッジ２０６の駆動モータ２１４を制御して、カバー側光源１０５と対向する位置にキャリッジ２０５を移動させる制御を行う。ここでは、さらに制御手段２１１がカバー側光源１０５の点灯の制御も行う。
【００２６】
サイズ検知手段２１３は、キャリッジ２０６がカバー側光源１０５と対向する位置にあり、かつカバー側光源１０５が点灯したときの撮像画像に基づいて原稿の主走査方向のサイズを検知する。ここでは、その撮像画像は、リニアイメージセンサから出力されたデジタルデータによって構成される。
【００２７】
制御プログラムの指令に従って、上述したＣＰＵが演算や入出力の制御を行うことで、コンピュータのハードウェアが制御手段２１２やサイズ検知手段２１３として機能する。
【００２８】
画像読取装置には、開閉検知手段２１５をさらに備えるのが好ましい。開閉検知手段２１５は、プラテンカバー、ここではＤＦ１０１の開閉を検知する。その開閉検知手段２１５には、図２に示すように、押ボタンスイッチ２１６を用いることができる。ＤＦ１０１が閉じられると、ＤＦ１０１の原稿側の面で押ボタンスイッチ２１６が押圧される。従って、このスイッチ２１５のオン・オフをＣＰＵが監視することによってＤＦ１０１の開閉を検知することができる。
【００２９】
画像読取装置が開閉検知手段２１５を備える場合、制御手段２１２は、プラテンカバーが閉じられたことが検出されてから、カバー側光源１０５を点灯し、プラテンカバーが開いていることが検出されている状態では、カバー側光源１０５を消灯する。
【００３０】
このような画像読取装置のプラテン２０２に、ユーザが原稿を裁置してＤＦ１０１を閉じると、制御プログラムの指令に従って、ＣＰＵは図６に示すような手順を実行する。
【００３１】
ＤＦ１０１を閉じることで押ボタンスイッチ２１５が押圧されると、押ボタンスイッチ２１６からの信号が変化し、ＣＰＵは、この変化に基づいてＤＦ１０１が閉じられたことを検知する（Ｓ１）。
【００３２】
ＤＦ１０１が閉じられたことが検知されると、制御プログラムの指令に従って、ＣＰＵは制御手段２１２として機能し、キャリッジ２０６の駆動モータ２１４を制御して、キャリッジ２０６を待機位置からカバー側光源１０５と対向する位置へ移動させる（Ｓ２）。
【００３３】
キャリッジ２０６がカバー側光源１０５と対向する位置に移動すると、ＣＰＵは、消灯していたカバー側光源１０５を点灯させる（Ｓ３）。
【００３４】
キャリッジ２０６がカバー側光源１０５と対向する位置に移動した状態で、カバー側光源１０５が点灯すると、プラテン２０２の原稿が裁置されている箇所では、カバー側光源１０５からの光が原稿で遮られる。これに対し、原稿が裁置されていない箇所では、図３に点線で示した光路の通り、カバー側光源１０５からの光がキャリッジ２０６の反射鏡２０８に入射し、原稿画像の読取時と同様、一点鎖線で示した光路の通りに光学系２０５のミラー２０９、２１０、集光レンズ２１１を介して、撮像手段２０３に導かれる。
【００３５】
このようにしてキャリッジ２０６がカバー側光源１０５と対向する位置に移動し、かつカバー側光源１０５が点灯したときのリニアイメージセンサの出力が得られると、ＣＰＵはサイズ検知手段２１３として機能し、その出力に基づいてプラテン２０２に裁置された原稿の主走査方向のサイズを検知する（Ｓ４）。
【００３６】
図７に示すように、プラテン２０２の主走査方向において、原稿が裁置されている箇所Ｒ１ではカバー側光源１０５からの光が遮られるから、リニアイメージセンサの出力は暗い値を示し、原稿が裁置されていない箇所Ｒ２ではベルト１０３を透過したカバー側光源１０５からの光の多くがリニアイメージセンサに入射するので、そのリニアイメージセンサの出力は明るい値を示す。
【００３７】
ＣＰＵは、プラテン２０２の主走査方向の位置についてリニアイメージセンサの出力値が、予め設定された閾値ＴＨ以上であるか未満であるかに従って、原稿が裁置されている箇所Ｒ１と原稿が裁置されていない箇所Ｒ２を特定する。
【００３８】
特定した箇所に基づいて、原稿の主走査方向の両端を決定し、その両端間の長さに基づいて原稿の主走査方向のサイズを求める。原稿の規定サイズや規定サイズの原稿の裁置方向に対応する主走査方向のサイズの値が予め与えられている場合には、ＣＰＵは、得られた複数の値のうちから、検知されたサイズに最も近い値を選択することで、主走査方向のサイズを確定する。
【００３９】
このようにして原稿の主走査方向のサイズが検知されると、ＣＰＵは、カバー側光源１０５を消灯する（Ｓ５）。その後、画像読取部２０１の前方に設けられた操作パネル２１７の実行ボタン２１８をユーザが押すと、処理は原稿画像の読取制御に移行し（Ｓ６）、それまで消灯していた露光光源２０７が点灯した状態でキャリッジ２０６が移動して原稿を走査する。その結果、原稿全面の画像が読み取られ、読み取られた画像が画像形成部３０１により用紙に複写される。
【００４０】
この実施の形態における画像読取装置では、上述した通り、プラテンカバーを閉めた状態でも、カバー側光源１０５を設けることで原稿の主走査方向のサイズを検知することができる。従って、ユーザに眩しさを感じさせるのを避けることができる。
【００４１】
さらに、プラテンカバーが完全に閉まっていなくても半分以上閉まっていれば、仮にカバー側光源１０５からの光がプラテンカバーとプラテン２０２との間から漏れたとしても、その光の向きから、ほとんどはユーザの目に入射しない。従って、開閉検知手段２１５によりプラテンカバーが必要なだけ閉じられたことを検知しないとしても、原稿サイズの自動検知に露光光源２０７を用いて行う場合と較べて、ユーザが感じる眩しさは著しく低減する。なお、必要なだけ閉じられたことを押ボタンスイッチ２１６で検知できないときには、その代わりに、またはそれに加えてプラテンカバーの開閉角を検知するセンサを用いればよい。
【００４２】
プラテンカバーが半分以上閉まっていれば、上述のように眩しさを感じる恐れがほとんどなくなる一方、半分以上開いていると、カバー側光源１０５からの光の向きが人の目に近づく。このため、原稿サイズの自動検知を操作パネル２１７からユーザが明示的に指示できたり、押ボタンスイッチ２１６はカバーが閉じられていることを示しているにもかかわらず開閉角検知センサの出力が半分以上開いていることを示したりする場合に備えて、開閉角検知センサの出力に基づいて、カバー側光源１０５の点灯をＣＰＵまたは制御手段２１２が禁止するようにしてもよい。
【００４３】
さらに、この実施の形態における画像読取装置では、画像読取のための撮像手段２０３や光学系２０５が原稿サイズの自動検知にも利用される。従って、画像読取装置のコストの低減に寄与することができる。
【００４４】
なお、この実施の形態は、本発明の技術的範囲を制限するものではなく、既に記載したもの以外でも、その範囲内で種々の変形や応用が可能である。例えば既に記載した通り、画像読取装置はＤＦ１０１の代わりに板状カバーをプラテンカバーとして用いることもできる。このとき、カバーの原稿側の面と半透光性の原稿マットとの間にカバー側光源１０５を設けるのが好ましい。しかしながら、これに限られるものではない。原稿マットやベルト１０３と同じくカバー側光源１０５を遮蔽する半透光性の遮蔽部材を原稿マットとは別途設けるようにしてもよい。さらに、カバー側光源１０５を露出した状態で配置する場合には、予めカバー側光源１０５に対応する像を不揮発性メモリなどに保持しておき、その像に基づいて原稿の撮像画像を補正するなどの画像処理を行うようにしてもよい。
【００４５】
また、図６の手順では、キャリッジ２０６がカバー側光源１０５と対向する位置に移動した後、原稿サイズの自動検知を行っているが、キャリッジ２０６の位置検出結果から、キャリッジ２０６がカバー側光源１０５と対向する位置に既にあることが確認されたような場合、キャリッジ２０６を移動させる必要はなくなる。キャリッジ２０６がカバー側光源１０５と対向する位置にあり、かつカバー側光源１０５が点灯したときのリニアイメージセンサの出力があれば、プラテン上の原稿のサイズを検知することができる。
【００４６】
また、原稿の搬送にベルト１０３を使用での実施例を記載したが、ベルトを用いずローラにより原稿読取り位置を通過させ排紙する構成としても良い。
【００４７】
また、制御手段２１１やサイズ検知手段２１２として機能するハードウェアやソフトウェアを画像処理部２０４とは別に設けるようにしてもよい。
【００４８】
さらに、デジタル複写機だけでなく、イメージスキャナやファクシミリ、ＭＦＰなどにも本発明を適用することが可能である。
【産業上の利用可能性】
【００４９】
本発明の画像読取装置では、ユーザに眩しさを感じさせずに原稿サイズの自動検知を行うことができ、イメージスキャナやファクシミリ、デジタル複写機、ＭＦＰなどで画像処理を行ったり、用紙の選択や倍率の設定を自動的に行ったりするのに有用である。
【図面の簡単な説明】
【００５０】
【図１】本発明の実施の形態における画像処理装置の全体の外観を示す図
【図２】画像読取部の斜視図
【図３】画像読取部の構成を示す図
【図４】カバー側光源の配置状態を説明するための図
【図５】本発明の実施の形態における画像処理装置の機能ブロック図
【図６】原稿サイズの自動検知の手順を説明するためのフローチャート
【図７】原稿サイズ検知時のリニアイメージセンサの出力例を示す図
【符号の説明】
【００５１】
１０１  ＤＦ
１０２  原稿トレー
１０３  ベルト
１０５  カバー側光源
１０６  ＬＥＤ
２０１  画像読取部
２０２  プラテン
２０３  撮像手段
２０４  画像処理部
２０５  光学系
２０６  キャリッジ
２０７  露光光源
２０８  反射鏡
２１２  制御手段
２１３  サイズ検知手段
２１５  開閉検知手段
２１６  押ボタンスイッチ
３０１  画像形成部
【図１】
2005164716.tif 000003
【図２】
2005164716.tif 000004
【図３】
2005164716.tif 000005
【図４】
2005164716.tif 000006
【図５】
2005164716.tif 000007
【図６】
2005164716.tif 000008
【図７】
2005164716.tif 000009